(57)【要約】      （修正有）【課題】箱体の内部に設置され、簡単な操作で組み立てでき、緩衝効果を有する仕切部材を提供する。【解決手段】略四角形状の基板に、底部２２と、当該底部２２に対して起立する仕切部とを備え、仕切部を前後方向に複数配置して、仕切部間を収容部とする仕切部材であって、仕切部は、基板に、前後方向に平行する谷折線４１と山折線５１と、谷折線４１の一端から山折線５１の一端を通過して延びる第一切断線と、山折線５１の他端から谷折線４１の他端を通過して延びる第二切断線を設けて、第一切断線と第二切断線と山折線５１とで囲まれた領域を、谷折線４１を基部として底部２２に対して起立して形成する。【選択図】図４
0003229066.tif 000002
【実用新案登録請求の範囲】
【請求項１】
略四角形状の基板に、底部と、当該底部に対して起立する仕切部とを備え、前記仕切部を前後方向に複数配置して、前記仕切部間を収容部とする仕切部材であって、前記仕切部は、前記基板に、前後方向に平行する谷折線と山折線と、前記谷折線の一端から前記山折線の一端を通過して延びる第一切断線と、前記山折線の他端から前記谷折線の他端を通過して延びる第二切断線を設けて、前記第一切断線と前記第二切断線と前記山折線とで囲まれた領域を、前記谷折線を基部として前記底部に対して起立して形成することを特徴とする仕切部材。
【請求項２】
前記仕切部は、一対をなす左仕切部と右仕切部とからなることを特徴とする、請求項１に記載する仕切部材。
【請求項３】
前記第一切断線は、前記谷折線の一端から後方向へ延びる部分と、前記谷折線に沿う方向に延びる部分とを有することを特徴とする、請求項１又は請求項２に記載する仕切部材。
【請求項４】
前記第二切断線は、前記山折線の他端から前方向へ延びる部分と、前記山折線に沿う方向に延びる部分とを有することを特徴とする、請求項１から請求項３のいずれか一項に記載する仕切部材。
【請求項５】
前記山折線又は／及び前記谷折線を、短小の繋ぎ部と、当該繋ぎ部より長い切断部とで形成することを特徴とする、請求項１から請求項４のいずれか一項に記載する仕切部材。
【請求項６】
前記仕切部に連なり、前記底部から垂下する脚部を設けることを特徴とする、請求項１から請求項５のいずれか一項に記載する仕切部材。
【請求項７】
前記底部の後側に連なるつまみ部を設けることを特徴とする、請求項１から請求項６のいずれか一項に記載する仕切部材。
【請求項８】
前記基板は、少なくとも一の辺縁から垂下する脚板を備え、当該脚板の下端縁は前記底部より下側に位置することを特徴とする、請求項１から請求項７のいずれか一項に記載する仕切部材。
【考案の詳細な説明】
【技術分野】
【０００１】  本考案は、複数の物品を載置する仕切部材の構造に関する。
【背景技術】
【０００２】  従来、底板から起立する複数の仕切板を備える仕切部材が知られている。【０００３】  例えば、特許文献１に示す仕切部材では、シート部材に略コの字形状の切線により形成される舌状部と、前記切線の始端から終端を結ぶ折線によって形成される基部とを複数形成し、基部を折り曲げて舌状部を立ち上げ、底板に載置する複数の物品間を仕切っている。
【先行技術文献】
【特許文献】
【特許文献１】実用新案登録第３２１６７４２号公報
【０００４】  しかしながら、特許文献１の仕切部材では、複数の舌状部を夫々立ち上げる手間が煩雑である。また、載置した物品を運搬時等の振動や衝撃から保護するためには、別途エアクッション等の緩衝材が必要となり手間が煩雑である。
【考案の概要】
【考案が解決しようとする課題】
【０００５】  本考案は、上記問題を解決すべくなされたものである。本考案の目的は、簡単な操作で組み立てでき、さらには、緩衝効果を有する仕切部材の提供である。
【課題を解決するための手段】
【０００６】  本考案の解決しようとする課題は以上の如くであり、次にこの課題を解決するための手段を説明する。【０００７】  第１の考案では、略四角形状の基板に、底部と、当該底部に対して起立する仕切部とを備え、前記仕切部を前後方向に複数配置して、前記仕切部間を収容部とする仕切部材であって、前記仕切部は、前記基板に、前後方向に平行する谷折線と山折線と、前記谷折線の一端から前記山折線の一端を通過して延びる第一切断線と、前記山折線の他端から前記谷折線の他端を通過して延びる第二切断線を設けて、前記第一切断線と前記第二切断線と前記山折線とで囲まれた領域を、前記谷折線を基部として前記底部に対して起立して形成することを特徴とする仕切部材である。【０００８】  第２の考案では、第１の考案であって、前記仕切部は、一対をなす左仕切部と右仕切部とからなることを特徴とする、請求項１に記仕切部材である。【０００９】  第３の考案では、第１又は第２の考案であって、前記第一切断線は、前記谷折線の一端から後方向へ延びる部分と、前記谷折線に沿う方向に延びる部分とを有することを特徴とする仕切部材である。【００１０】  第４の考案では、第１から第３のいずれかの考案であって、前記第二切断線は、前記山折線の他端から前方向へ延びる部分と、前記山折線に沿う方向に延びる部分とを有することを特徴とする仕切部材である。【００１１】  第５の考案では、第１から第４のいずれかの考案であって、前記山折線又は／及び前記谷折線を、短小の繋ぎ部と、当該繋ぎ部より長い切断部とで形成することを特徴とする仕切部材である。【００１２】  第６の考案では、第１から第５のいずれかの考案であって、前記仕切部に連なり、前記底部から垂下する脚部を設けることを特徴とする仕切部材である。【００１３】  第７の考案では、第１から第６のいずれかの考案であって、前記底部の後側に連なるつまみ部を設けることを特徴とする仕切部材である。【００１４】  第８の考案では、第１から第７のいずれかの考案であって、前記基板は、少なくとも一の辺縁から垂下する脚板を備え、当該脚板の下端縁は前記底部より下側に位置することを特徴とする仕切部材である。
【考案の効果】
【００１５】  本考案の効果として、以下に示すような効果を奏する。【００１６】  第１の考案では、複数の仕切部のうち、いずれか一の仕切部の山折線、谷折線を折り曲げて仕切部を底部から起立させれば、他の山折線、谷折線も連動して折れ曲がり、仕切部が起立するため、簡単な操作で仕切部材を組み立てできる。【００１７】  第２の考案では、第１の考案の効果に加え、仕切部は一対をなす左仕切部と右仕切部とからなるため、左仕切部と右仕切部とで、ひとつの物品の左右端側を収容することができる。【００１８】  第３の考案では、第１又は第２の考案の効果に加え、第一切断線は、谷折線の一端から後方向へ延びる部分と、前記谷折線に沿う方向に延びる部分とを有するため、仕切部を起立した状態で、仕切部の下側の面積を大きくすることができる。【００１９】  第４の考案では、第１から第３の考案の効果に加え、第二切断線は、山折線の他端から前方向へ延びる部分と、山折線に沿う方向に延びる部分とを有するため、仕切部を起立した状態で、仕切部の上側の面積を大きくすることができる。また、仕切部間の収容部に基板が水平方向に延在して、この端縁で収容する物品の移動を規制することができる。【００２０】  第５の考案では、第１から第４の考案の効果に加え、山折線又は／及び谷折線を、短小の繋ぎ部と、この繋ぎ部より長い切断部とで形成するため、折曲抵抗が少なく、簡単な操作で仕切部材を組み立てできる。【００２１】  第６の考案では、第１から第５の考案の効果に加え、底部から垂下する脚部を設けるため、底部が接地せず、緩衝効果を発揮する。また、脚部は仕切部に連なるため、谷折線を折り曲げて仕切部を起立させれば、これに連動して脚部が垂下するため、簡単な操作で脚部を形成できる。【００２２】  第７の考案では、第１から第６の考案の効果に加え、底部の後側に連なるつまみ部を設けているため、このつまみ部を後方向及び下方向へ引っ張れば、つまみ部に連なる底部が後方向及び下方向へ引っ張られ、山折線、谷折線が折れ曲がり、すべての仕切部が連動して底部から起立し、簡単な操作で仕切部材を組み立てできる。【００２３】  第８の考案では、第１から第７の考案の効果に加え、基板の片縁から垂下する脚板の下端縁が底部より下側に位置するため、底部が接地せず、緩衝効果を発揮する。
【図面の簡単な説明】
【００２４】
【図１】本考案の実施形態にかかる仕切部材１の組み立て完成状態を示す斜視簡略図。
【図２】仕切部材１の展開形成体１１の平面図。
【図３】図２の領域Ｘ付近の拡大平面図。
【図４】仕切部２４付近の拡大斜視簡略図。
【図５】図１におけるＹ−Ｙ線の断面簡略図。
【図６】本実施形態における仕切部材１の使用状態。
【考案を実施するための形態】
【００２５】  次に、本考案の実施の形態について説明する。
【００２６】  本考案の実施形態に係る仕切部材１について説明する。
【００２７】  本実施形態に係る仕切部材１は、板紙で形成される。
仕切部材１は、図６に示すように、箱体８０の内部に設置され、収容部Ｓに物品９０を収容する仕切部材であり、基板２１に形成する仕切部２３（左仕切部２４・右仕切部２５）を底部２２から起立させて形成するものである。
【００２８】  仕切部材１は、図２に示す展開形成体１１を組み立てて形成する。図２の展開形成体１１は、仕切部材１の外側となる面を紙面手前側として示している。
【００２９】    まず、図２に示す展開形成体１１に従って、仕切部材１を構成する部分を説明する。
【００３０】  展開形成体１１は、長方形の基板２１と、基板２１の前側の辺縁に山折線を介して前脚板３１を、基板２１の後側の辺縁に山折線を介して後脚板３２を連設している。山折線は、短小の繋ぎ部と、この繋ぎ部よりも約５〜６倍長い切断部とを交互に配置している。また、基板２１の左側の辺縁に山折線を介して左脚板３３を、基板２１の右側の辺縁に山折線を介して右脚板３４を連設している。山折線は、短小の繋ぎ部と、この繋ぎ部よりも約４〜５倍長い切断部とを交互に配置している。
切断部７２は、板紙を貫通する切れ目である。繋ぎ部７１は、切断部間を繋ぐ切れ目のない部分である。
尚、本実施形態の基板２１の平面形状は長方形であるが、正方形としてもよい。
【００３１】  基板２１は、主には、仕切部２３と、底部２２と、後板部２７とを備えている。
【００３２】  仕切部２３は、基板２１の左側に形成する左仕切部２４と、基板２１の右側に形成する右仕切部２５とからなり、一対をなす対称形に形成し、前後方向に複数配置している。
【００３３】  仕切部２３については、主に左仕切部２４について説明し、右仕切部２５については左仕切部２４と同様の構造であるため説明を省略する。説明にあたっては、図２における破線で囲まれた仕切部２４付近の領域Ｘを拡大した図３を用いる。
【００３４】  左仕切部２４は、基板２１の前側に谷折線４１と、後側に山折線５１とを平行して設け、さらに、谷折線４１の一端４２から山折線５１の一端５２を通過して延びる第一切断線６１と、山折線５１の他端５３から谷折線４１の他端４３を通過して延びる第二切断線６２とを設けて形成している。第一切断線６１と第二切断線６２と山折線５１とで囲まれた領域は、谷折線４１を基部として起立する部分である。
【００３５】  第一切断線６１は、谷折線４１の一端から後方向へ垂直に延びる部分６１Ａ、これに連続して谷折線４１に沿う方向で、かつ、やや後方向へ延びる部分６１Ｂを連続して形成している。そして、谷折線４１に沿う方向に延びる部分６１Ｂは谷折線４１の他端４３付近でまた後方向に延び、山折線５１の一端５２を通過するように形成している。
【００３６】  第二切断線６２は、山折線の他端５３から垂直に前方向へ延びる部分６２Ａと、山折線に沿う方向で、かつ、やや前方向へ延びる部分に延びる部分６２Ｂを連続して形成している。そして、谷折線に沿う方向に延びる部分６２Ｂは山折線５１の一端５２付近でまた前方向に延び、谷折線４１の他端４３を通過するように形成している。
【００３７】  また、本実施形態における谷折線４１は、最前列の仕切部２４を除き、中間部分に後述する底部２２を略Ｕ字形状に切り込む第三切断線４４を形成している。第三切断線４４に囲まれた部分は、左仕切部２４に連なる脚部２６を形成する。
【００３８】  また、本実施形態における谷折線４１及び山折線５１は、短小の繋ぎ部７１と、この繋ぎ部７１よりも長い切断部７２とからなる。
切断部７２は、板紙を貫通する切れ目である。繋ぎ部７１は、切断部７１間、或いは切断部７１と第一切断線６１又は第二切断線６２又は第三切断線４４とを繋ぐ切れ目のない部分である。
具体的には、図３に示すように、谷折線４１においては、谷折線４１の一端４２付近、谷折線４１の他端４３付近、及び第三切断線４４の左右両端付近に短小の繋ぎ部７１を配置し、谷折線４１の一端４２付近の繋ぎ部７１と第三切断線４４の右端付近の繋ぎ部７１との間、及び谷折線４１の他端４３付近の繋ぎ部７１と第三切断線４４の右端付近の繋ぎ部７１との間に、繋ぎ部７１よりも約２〜３倍長い切断部７２を配置している。山折線５１においては、山折線５１の一端５２付近、山折線５１の他端５３付近、及び中間付近に短小の繋ぎ部７１を配置し、各繋ぎ部７１間に、繋ぎ部７１よりも約５〜６倍長い切断部７２を配置している。
【００３９】  また、図２に示すように、基板２１の後側には、後板部２７を設けている。後板部２７は、山折線と谷折り線と、山折線の一端から谷折線の一端を通過して延びる切断線を形成して設けている。山折線と谷折線と、切断線で囲まれた領域は、谷折線を基部として底部２２に対して起立する。山折線は、短小の繋ぎ部と、繋ぎ部よりも約８〜９倍長い切断部とを交互に配置して形成している。谷折線は、中間部分に、底部２２を略Ｕ字形状に切り込む切断線を左右両側に形成している。この切断線に囲まれた部分は、後板部２７に連なる脚部を形成する。また、この略Ｕ字形状の切り込みの間には、後板部２７を略Ｕ字形状に切り込んで、底部２２の後側に連なるつまみ部２８を形成している。谷折線においては、谷折線の左右両端付近、及び脚部を形成する略Ｕ字形状の切断線の左右両端付近、及びつまみ部２８を形成する略Ｕ字形状の切断線の左右両端付近に短小の繋ぎ部を配置し、各繋ぎ部間に、繋ぎ部よりも約２〜３倍長い切断部を配置している。
【００４０】  基板２１の左仕切部２４と右仕切部２５との間、仕切部２３の前側、後後板部２７の前側は底部２２を形成する。最前列の仕切部２３の前側の底板２２は、前脚板３１を切り込んで形成し、この前端縁に谷折線を介して突き当て部２９を備えている。突き当て部２９は、後述する組み立て完成状態において、前脚板３１の裏側に重ねられる部分である。この谷折線の中間部左右側にでは、夫々底部２２を略Ｕ字形状に切り込んで、突き当て部２９に連なる脚部を形成している。谷折線は、左右端縁、略Ｕ字形状の切り込みの左右端縁に短小の繋ぎ部７１を配置し、各繋ぎ部間に、繋ぎ部よりも約５〜６倍長い切断部を配置している。また、左右略Ｕ字形状の切り込み間の切断部の間にも繋ぎ部を配置している。
【００４１】    次に、仕切部材１を組み立てる手順について説明する。
【００４２】  先ず、前脚板３１、後脚板３２、左脚板３３、右脚板３４を、山折線で折り曲げて、基板２１から垂下させる。このとき、山折線は短小の繋ぎ部と、この繋ぎ部より長い切断部とからなり、折れ曲がる部分は短小の繋ぎ部であるため、折り曲げ抵抗が少なく、簡単に脚板を垂下させることができる。
【００４３】  次に、底板２２に連なるつまみ部２８を、基板２１の後方向かつ下方に引っ張る。すると、山折線が山折りされ、谷折線が谷折りされて、後板部２７が底部２２に対して起立し、それと連動して、仕切部２３（左仕切部２４・右仕切部２５）を構成する山折線５１が山折りされ、谷折線４１が谷折りされて、山折線５１と第一切断線６１と第二切断線６２とで囲まれた領域が仕切部２３（左仕切部２４・右仕切部２５）として谷折線４１を基部に底部２２から起立する。また、仕切部２３（左仕切部２４・右仕切部２５）の起立に伴い、脚部２６が底部２２から垂下する。本実施形態においては、仕切部２３（左仕切部２４・右仕切部２５）は底部２２に対してほぼ垂直に近い傾斜した状態で起立している。なお、仕切部２３の起立する角度は、収容物品に応じて適宜設定可能である。
このとき、谷折線４１及び山折線５１は、短小の繋ぎ部７１と、この繋ぎ部７１より長い切断部７２とからなり、折れ曲がる部分は短小の繋ぎ部７１であるため、折り曲げ抵抗が少なく、簡単に折れ曲がる。図４は、仕切部２４の拡大斜視図である。
このようにして底部２２から起立した仕切部２３間は、収容部Ｓを形成する。
【００４４】  仕切部２３（左仕切部２４・右仕切部２５）は、第一切断線６１の谷折線の一端から垂直に後方向へ延びる部分６１Ａと、谷折線に沿う方向で、かつ、やや後方へ延びる部分６１Ｂとによって、起立した仕切部２３の下側を形成している。また、第二切断線６２の山折線の他端５３から垂直に前方向へ延びる部分６２Ａと、山折線５１に沿う方向で、かつ、やや前方に延びる部分６２Ｂによって、起立した仕切部２３の上側を形成している。
【００４５】  また、仕切部２３を起立した状態において、仕切部２３間の収容部Ｓ側に基板２１の一部が水平方向に延在している。
【００４６】  次に、底部２２の前端縁に連設した突き当て部２９を谷折りして起立させ、前脚板３１の裏側に重ねる。これにより、仕切板２３及び後板部２７の起立状態がサポートされる。このとき、谷折線は短小の繋ぎ部と、この繋ぎ部より長い切断部とからなり、折れ曲がる部分は短小の繋ぎ部であるため、折り曲げ抵抗が少なく、簡単に突き当て部２９を底板２２から起立させることができる。また、谷折りと同時に、略Ｕ字形状の切り込みによって形成された脚部が底部２２から垂下する。
このようにして、仕切部材１は組み立てが完成する。
【００４７】  図５は、図３におけるＹ−Ｙ線の断面簡略図である。組み立てが完成した仕切部材１は、前脚板３１、後脚板３２、左脚板３３、右脚板３４の下端縁が底部２２より下側に位置しており、また、脚部２６が底部２２から垂下しているため、底部２２は、接地していない。
【００４８】  本実施形態において、このように組み立てられた仕切部材１を、図６に示すように、箱体８０に２個並べて設置している。そして、例えば菓子等の物品９０を収容部Ｓに収容する。物品９０は、仕切部材１の底部２２が接地していないため、箱体８０の底板から上方の位置に保持される。
そして、収容部Ｓ側に延在した基板２１の一部の端縁が物品９０に当接して、移動を規制している。
【００４９】  このように、本実施形態の仕切部材１は、略四角形状の基板２１に、底部２２と、当該底部２２に対して起立する仕切部２３とを備え、仕切部２３を前後方向に複数配置して、仕切部２３間を収容部Ｓとする仕切部材１であって、仕切部２３は、基板２１に、前後方向に平行する谷折線４１と山折線５１と、谷折線４１の一端４２から山折線５１の一端５２を通過して延びる第一切断線６１と、山折線５１の他端５３から谷折線４１の他端４３を通過して延びる第二切断線６２を設けて、第一切断線６１と第二切断線６２と山折線５１とで囲まれた領域を、谷折線４１を基部として底部２２に対して起立して形成する。
【００５０】  このため、複数の仕切部２３のうち、いずれか一の仕切部２３の山折線５１、谷折線４１を折り曲げて仕切部２３を底部２２に対して起立させれば、他の山折線５１、谷折線４１も連動して折れ曲がり、仕切部２３が起立するため、簡単な操作で仕切部材１を組み立てできる。
【００５１】  また、本実施形態の仕切部材１の仕切部２３は、一対をなす左仕切部２４と右仕切部２５とからなる。
【００５２】  このため、左仕切部２４と右仕切部２５とで、ひとつの物品９０の左右端側を収容することができる。
【００５３】  また、本実施形態の仕切部材１の第一切断線６１は、谷折線４１の一端４２から後方向へ延びる部分６１Ａと、谷折線４１に沿う方向に延びる部分６１Ｂとを有する。
【００５４】  このため、仕切部２３を起立した状態で、仕切部２３の下側の面積を大きくすることができる。
【００５５】  また、本実施形態の仕切部材１の第二切断線６２は、山折線５１の他端５３から前方向へ延びる部分６２Ａと、山折線５１に沿う方向に延びる部分６２Ｂとを有する。
【００５６】  このため、仕切部２３を起立した状態で、仕切部２３の上側の面積を大きくすることができる。また、仕切部２３間の収容部Ｓ側に基板２１の一部が水平方向に延在して、この山折線５１に略平行する端縁で収容する物品９０の移動を規制することができる。
【００５７】  また、本実施形態の仕切部材１の山折線５１及び谷折線４１を、短小の繋ぎ部７１と、当該繋ぎ部７１より長い切断部７２とで形成している。
【００５８】  このため、折れ曲がる部分は短小の繋ぎ部７１であり、折曲抵抗が少なく、簡単な操作で仕切部材１を組み立てできる。
【００５９】  また、本実施形態の仕切部材１は、仕切部２３に連なり、底部２２から垂下する脚部２６を設けている。
【００６０】  このため、底部２２が接地せず、緩衝効果を発揮する。また、脚部２６は仕切部２３に連なるため、谷折線４１を折り曲げて仕切部２３を底部２２に対して起立させれば、これに連動して脚部２６が垂下するため、簡単な操作で脚部２６を形成できる。
【００６１】  また、本実施形態の仕切部材１は、底部２２の後側に連なるつまみ部２８を設けている。
【００６２】  このため、このつまみ部２８を後方向及び下方向へ引っ張れば、つまみ部２８に連なる底部２２が後方向及び下方向へ引っ張られ、山折線５１、谷折線４１が折れ曲がり、すべての仕切部２３が連動して底部２２に対して起立し、簡単な操作で仕切部材１を組み立てできる。
【００６３】  また、本実施形態の仕切部材１の基板２１は、前辺縁から垂下する前脚板３１と、後辺縁から垂下する後脚板３２と、左辺縁から垂下する左脚板３３と、右辺縁から垂下する右脚板３４とを備え、前脚板３１、後脚板３２、左脚板３３、右脚板３４の下端縁は底部２２より下側に位置する。
【００６４】  このため、底部２２が接地せず、緩衝効果を発揮する。
【００６５】  以上、本考案の実施形態について説明したが、本考案の技術的範囲は、本実施形態に限定されるものではなく、本明細書及び図面に記載した事項から明らかになる考案が真に意図する技術的思想の範囲全体に、広く及ぶものである。
【００６６】  例えば、本実施形態の仕切部２３は、左仕切部２４と右仕切部２５からなるが、左仕切部２４又は右仕切部２５のいずれかのみとしてもよい。
【００６７】  また、本実施形態では、物品９０の左端を前後の仕切部２４間の収容部Ｓに、右端を仕切部２５間の収容部Ｓに収容しているが、左右の収容部Ｓにそれぞれ別の物品を収容してもよい。
【００６８】  また、仕切部２３の第一切断線６１、第二切断線６２は、本実施形態の形状に限定するものではなく、谷折線の一端から前記山折線の一端を直線形状に通過する第一切断線を設けてもよく、山折線の他端から前記谷折線の他端を直線形状に通過する第二切断線を設けてもよい。
【００６９】  また、山折線５１、谷折線４１は、短小の繋ぎ部７１と、この繋ぎ部より長い切断部７２とで形成しているが、繋ぎ部７１と切断部７２は同じ長さとしてもよく、また、繋ぎ部７１を切断部７２より長くしてもよい。この場合、繋ぎ部７１に押罫を設けることが望ましい。
また、山折線５１、谷折線４１はハーフカット線（板紙の中間層まで切り込んだ線）で形成しても、押罫で形成してもよく、山折り又は谷折りを形成する線であれば、本実施形態の山折線、谷折線に限定されない。
【符号の説明】
【００７０】１      仕切部材
１１    展開形成体
２１    基板
２２    底部
２３    仕切部
２４    左仕切部
２５    右仕切部
Ｓ      収容部
２６    脚部
２７    後板部
２８    つまみ部
２９    突き当て部
３１    左脚板
３２    右脚板
３３    前脚板
３４    後脚板
４１    谷折線
４２    谷折線の一端
４３    谷折線の他端
４４    第三切断線
５１    山折線
５２    山折線の一端
５３    山折線の他端
６１    第一切断線
６２    第二切断線
７１    繋ぎ部
７２    切断部
８０    箱体
９０    物品
【図１】
0003229066.tif 000003
【図２】
0003229066.tif 000004
【図３】
0003229066.tif 000005
【図４】
0003229066.tif 000006
【図５】
0003229066.tif 000007
【図６】
0003229066.tif 000008